Podtech/llm-jp-corpus-v4-ja_patent huggingface dataset:
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
クライアントコンピュータのメモリに格納されたグラフィカルユーザインターフェースであって、
ユーザから垂直検索照会を入手するプロンプトフィールド；及び
複数の名前を表示するディスプレイフィールドであって、前記複数の名前内の各名前が、複数の垂直集合内の垂直集合を表す、前記ディスプレイフィールド；
を含み、前記ディスプレイフィールド内の前記複数の名前が、前記ユーザがまだ前記プロンプトフィールド内に追加文字をタイプしつつある時に、前記垂直検索照会の関数として自動的に投入される、前記グラフィカルユーザインターフェース。
【請求項２】
前記ディスプレイフィールド内の前記複数の名前内の各個別の名前が、前記個別の名前によって表される前記垂直集合の関連の関数である寸法を有するグラフィックとして表示される、請求項1記載のグラフィカルユーザインターフェース。
【請求項３】
クライアントコンピュータシステムと共に使用されるコンピュータプログラム製品であって、前記コンピュータプログラム製品が、コンピュータ可読記憶媒体及びそこに内蔵されるコンピュータプログラム機構を含み、前記コンピュータプログラム機構が：
前記クライアントコンピュータシステムのユーザから垂直検索照会を受け取る命令；
リモートコンピュータに前記垂直検索照会を通信する命令；
前記リモートコンピュータから複数の名前を受信する命令であって、前記複数の名前内の各名前が、複数の垂直集合内の垂直集合を表し、前記複数の垂直集合内の各垂直集合が、前記垂直検索照会への関連を有する、前記命令；及び
前記ユーザがまだ前記垂直検索照会に追加文字を入力しつつある時に前記複数の名前を表示する命令；
を含む、前記コンピュータプログラム製品。
【請求項４】
中央処理装置と、
前記中央処理装置に結合されたメモリとを含むコンピュータであって、該メモリが：
前記コンピュータのユーザから垂直検索照会を受け取る命令；
リモートコンピュータに前記垂直検索照会を通信する命令；
前記リモートコンピュータから複数の名前を受信する命令であって、前記複数の名前内の各名前が、複数の垂直集合内の垂直集合を表し、かつ前記複数の垂直集合内の各垂直集合が、前記垂直検索照会への関連を有する、前記命令；及び
前記ユーザがまだ前記垂直検索照会に追加文字を入力しつつある時に前記複数の名前を表示する命令；
を格納している、前記コンピュータ。
【請求項５】
複数の名前であって、前記複数の名前内の各名前が、複数の垂直集合内の垂直集合を表し、かつ前記複数の垂直集合内の各垂直集合が、垂直検索照会への関連を有する、前記複数の名前；及び
複数のスコアであって、前記複数のスコア内の各スコアが、前記複数の名前内の名前に対応し、かつ各スコアが、前記垂直検索照会への前記複数の垂直集合内の垂直集合の関連を表す、前記複数のスコア；
を含む、搬送波上で実施されるディジタル信号。
【請求項６】
サーバコンピュータシステムと共に使用されるコンピュータプログラム製品であって、前記コンピュータプログラム製品が、コンピュータ可読記憶媒体及びそこに内蔵されるコンピュータプログラム機構を含み、前記コンピュータプログラム機構が：
リモートクライアントコンピュータシステムから垂直検索照会を受け取る命令；
垂直インデックス内で前記垂直検索照会に関係付けられる複数の候補垂直集合を識別する命令であって、前記複数の候補垂直集合内の個別の候補垂直集合ごとに、前記個別の候補垂直集合に関連付けられた垂直検索照会関連スコアがある、前記命令；
前記複数の候補垂直集合内の各候補垂直集合の名前を、前記複数の候補垂直集合内の各候補垂直集合の前記垂直検索照会関連スコアと一緒に前記リモートクライアントコンピュータシステムに通信する命令；
を含む、前記コンピュータプログラム製品。
【請求項７】
中央処理装置と、
前記中央処理装置に結合されたメモリとを含むコンピュータであって、該メモリが：
リモートクライアントコンピュータシステムから垂直検索照会を受け取る命令；
垂直インデックス内で前記垂直検索照会に関係付けられる複数の候補垂直集合を識別する命令であって、前記複数の候補垂直集合内の個別の候補垂直集合ごとに、前記個別の候補垂直集合に関連付けられた垂直検索照会関連スコアがある、前記命令；
前記複数の候補垂直集合内の各候補垂直集合の名前を、前記複数の候補垂直集合内の各候補垂直集合の前記垂直検索照会関連スコアと一緒に前記リモートクライアントコンピュータシステムに通信する命令；
を格納している、前記コンピュータ。
【請求項８】
サーバコンピュータシステムと共に使用されるコンピュータプログラム製品であって、前記コンピュータプログラム製品が、コンピュータ可読記憶媒体及びそこに内蔵されるコンピュータプログラム機構を含み、前記コンピュータプログラム機構が、
複数の垂直インデックスリストを含む垂直インデックスであって、前記複数の垂直インデックスリスト内の垂直インデックスリストが、ヘッド用語及び複数の垂直集合識別子を含み、前記複数の垂直集合識別子内の垂直集合識別子によって参照される各垂直集合が、前記ヘッド用語を含む文書を含む、前記垂直インデックス
を含む、前記コンピュータプログラム製品。
【請求項９】
前記複数の垂直インデックスリスト内の垂直インデックスリストが、前記複数の垂直集合識別子内の垂直集合識別子によって参照される複数の垂直集合内の垂直集合ごとに、ヘッド用語固有関連性スコアscore(t,v)をさらに含む、請求項46記載のコンピュータプログラム製品。
【請求項１０】
中央処理装置と、
前記中央処理装置に結合されたメモリとを含むコンピュータであって、該メモリは：
複数の垂直インデックスリストを含む垂直インデックスであって、前記複数の垂直インデックスリスト内の垂直インデックスリストが、ヘッド用語及び複数の垂直集合識別子を含み、前記複数の垂直集合識別子内の垂直集合識別子によって参照される各垂直集合が、前記ヘッド用語を含む文書を含む、前記垂直インデックス；
リモートクライアントコンピュータシステムから垂直検索照会を受け取る命令；
前記垂直インデックス内で前記垂直検索照会に関係付けられる複数の候補垂直集合を識別する命令であって、前記複数の候補垂直集合内の個別の候補垂直集合ごとに、前記個別の候補垂直集合に関連付けられた垂直検索照会関連スコアがある、前記命令；
前記複数の候補垂直集合内の各候補垂直集合の名前を、前記複数の候補垂直集合内の各候補垂直集合の前記垂直検索照会関連スコアと一緒に前記リモートクライアントコンピュータシステムに通信する命令；
をを含む、前記コンピュータ。
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
デバイスをブートする方法であって、
前記デバイスに関連付けられたリセット信号を検出する工程と、
不揮発性メモリ・ロケーションから該不揮発性メモリに関連付けられたレジスタに所定のデータのページを読み出す工程であって、データのページのそれぞれは一体として該不揮発性メモリから読み出され、該データのページは前記デバイスのブートに用いる命令を含む工程と、
前記レジスタに記憶されたデータを直接にリードするコマンドを前記デバイスのプロセッサから受信する工程であって、該コマンドは前記不揮発性メモリによって処理可能であり、該レジスタ内の少なくとも一つの命令のロケーションを含んでいる前記データの部分を特定するアドレスを含む工程と、
ランダムアクセスメモリの使用と無関係に前記プロセッサによる実行のために前記レジスタから前記少なくとも一つの命令を読み出す工程と
を備えることを特徴とする方法。
【請求項２】
前記少なくとも一つの命令は、該少なくとも一つの命令を別のメモリに記憶せずに前記プロセッサで直接実行するために前記レジスタから読み出されることを特徴とする請求項１に記載の方法。
【請求項３】
前記少なくとも一つの命令を読み出す工程は、ＸＩＰの一部として実行されることを特徴とする請求項１又は２に記載の方法。
【請求項４】
前記不揮発性メモリは、ＮＡＮＤフラッシュメモリを備えることを特徴とする請求項１乃至３の何れか１項に記載の方法。
【請求項５】
所定のデータのページを読み出す工程は、前記リセット信号の検出に応答して自動的に実行されることを特徴とする請求項１乃至４の何れか１項に記載の方法。
【請求項６】
前記レジスタに記憶されたデータをリードする複数のコマンドを受信する工程であって、該複数のコマンドに応答してリードされた前記データは、前記プロセッサに関連付けられたランダムアクセスメモリに別個のブートローダ・コードをロードするコードを備える工程をさらに備えることを特徴とする請求項１乃至５の何れか１項に記載の方法。
【請求項７】
前記別個のブートローダは、前記不揮発性メモリから前記ランダムアクセスメモリにオペレーティング・システム又はアプリケーション・コードをロードするように構成されることを特徴とする請求項６に記載の方法。
【請求項８】
前記不揮発性メモリは、前記レジスタに記憶されたデータをリードするコマンドに応答して該レジスタの任意のバイトにランダムアクセスできるように構成されることを特徴とする請求項１乃至７の何れか１項に記載の方法。
【請求項９】
不揮発性メモリであって、
ページにグループ化された第１の複数のメモリ・ロケーションであって、データのページのそれぞれは第２の複数のメモリ・ロケーションを含み、該第２の複数のメモリ・ロケーションは該第１の複数のメモリ・ロケーションよりも数が少なく、前記メモリ・ロケーション内のデータは各ページを全体として読み出すことによりアクセス可能である第１の複数のメモリ・ロケーションと、
レジスタと、
所定の条件に応答して前記レジスタに所定のデータのページを読み出すように構成されるとともに、前記レジスタ内のアドレスのデータを読み出すことによって、所定の受信コマンドに応答するように構成されるコントローラと
を備えることを特徴とする不揮発性メモリ。
【請求項１０】
前記所定の条件は、リセット信号の受信を備えることを特徴とする請求項９に記載の不揮発性メモリ。
【請求項１１】
前記所定の受信コマンドは、プロセッサから受信され、前記レジスタ内の前記アドレスの指標を含むことを特徴とする請求項９又は１０に記載の不揮発性メモリ。
【請求項１２】
前記読み出されたデータは、前記受信コマンドに応答してＸＩＰのためにプロセッサに送信されることを特徴とする請求項９乃至１１のいずれか１項に記載の不揮発性メモリ。
【請求項１３】
ＸＩＰはランダムアクセスメモリの使用と無関係に実行されることを特徴とする請求項１２に記載の不揮発性メモリ。
【請求項１４】
ブート・システムであって、
デバイスのための所定の条件を検出する手段と、
不揮発性メモリ・ロケーションから該不揮発性メモリに関連付けられたレジスタに所定のデータのページを読み出す手段であって、データのページのそれぞれは一体として該不揮発性メモリから読み出され、該データのページは前記デバイスのブートに用いる命令を含む手段と、
前記レジスタに記憶されたデータを直接にリードするコマンドを前記デバイスのプロセッサから受信する手段であって、該コマンドは前記不揮発性メモリによって処理可能であり、該レジスタ内の少なくとも一つの命令のロケーションを含んでいる前記データの部分を特定するアドレスを含む手段と、
ランダムアクセスメモリの使用と無関係に前記プロセッサによる実行のために前記レジスタから前記少なくとも一つの命令を読み出す手段と
を備えることを特徴とするブート・システム。
【請求項１５】
前記少なくとも一つの命令は、前記不揮発性メモリからブートローダ・コードを読み出す命令を備え、前記ブート・システムは前記ブートローダ・コードを読み出して実行する手段をさらに備えることを特徴とする請求項１４に記載のブート・システム。
【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
ａ）少なくとも１つの入力プロセス変数を取得するステップと；
ｂ）第１の時間ベース重み付け関数を有する第１の方法を使用して少なくとも１つの入力プロセス変数に基づいて比較プロセス値を決定するステップと；
ｃ）第２の時間ベース重み付け関数を有する第２の方法を使用して前記少なくとも１つの入力プロセス変数に基づいて期待プロセス値を決定するステップと；
ｄ）前記少なくとも１つの入力プロセス変数または履歴データに基づいて第１の偏差値を決定するステップと；
ｅ）前記期待プロセス値と前記第１の偏差値とを使用して最大限界と最小限界とを有する限界範囲を計算するステップと；
ｆ）前記比較プロセス値を前記限界範囲と比較するステップと、
を備える、定期的または間欠的化学プロセス監視方法であって、
前記少なくも１つの入力プロセス変数が、温度、圧力、電圧、流量、重量、スイッチ位置、電流、電力、高さ、周波数、モデル予測誤差、濃度、または物理的製品特性測定値である、方法。
【請求項２】
前記第１の偏差値は、第３の時間ベース重み付け関数を有する第３の方法を使用して前記少なくとも１つの入力プロセス変数に基づいている、請求項１に記載の方法。
【請求項３】
前記第１の偏差値は、高い偏差値と低い偏差値とを決定する、請求項２に記載の方法。
【請求項４】
前記少なくとも１つの入力プロセス変数または履歴データに基づく第２の偏差値を更に備える、請求項２に記載の方法。
【請求項５】
前記第２の偏差値は、第４の時間ベース重み付け関数を有する第４の方法を使用して前記少なくとも１つの入力プロセス変数に基づいている、請求項４に記載の方法。
【請求項６】
前記第１の偏差値は高い偏差値を決定し、前記第２の偏差値は低い偏差値を決定する、請求項５に記載の方法。
【請求項７】
前記方法の少なくとも１つは残りの方法とは異なる、請求項２に記載の方法。
【請求項８】
前記時間ベース重み付け関数の少なくとも１つは残りの時間ベース重み付け関数とは異なる値を生成する、請求項２に記載の方法。
【請求項９】
前記少なくとも１つの入力プロセス変数は測定され、計算され、あるいは調整される、請求項１に記載の方法。
【請求項１０】
前記第１または第２の方法は、前記少なくとも１つの入力プロセス変数の、移動平均、再帰的移動平均、移動標準偏差、再帰的移動標準偏差、移動分散、再帰的移動分散、または周波数分析を使用する、請求項１に記載の方法。
【請求項１１】
前記第３の方法は、前記少なくとも１つの入力プロセス変数の、一定数、測定値、移動平均、再帰的移動平均、移動標準偏差、再帰的移動標準偏差、移動分散、再帰的移動分散、予測モデリング、または周波数分析を使用する、請求項２に記載の方法。
【請求項１２】
前記第４の方法は、前記少なくとも１つの入力プロセス変数の、測定値、移動平均、再帰的移動平均、移動標準偏差、再帰的移動標準偏差、移動分散、再帰的移動分散、予測モデリング、または周波数分析を使用する、請求項５に記載の方法。
【請求項１３】
前記調整されたプロセス変数は、平均もしくは変分である、または予測モデル計算を使用して決定される、請求項９に記載の方法。
【請求項１４】
前記少なくとも１つの入力プロセス変数は計算された中間値である、請求項１に記載の方法。
【請求項１５】
前記計算された中間値は、プロセス変数の和、差、積、商、比または推定値を備える、請求項１４に記載の方法。
【請求項１６】
もし前記比較プロセス値が前記限界範囲外であるとき、予め決められた処置を取るステップを更に備える、請求項１に記載の方法。
【請求項１７】
少なくとも１つのプロセスインジケータが与えられるかどうかを決定するステップを更に備える、請求項１６に記載の方法。
【請求項１８】
前記少なくとも１つのプロセスインジケータはプロセス動作モード、既知の装置誤動作、またはアラーム（警報）状態を備える、請求項１７に記載の方法。
【請求項１９】
前記プロセスインジケータに基づいて、予め決められた処置を与えることを更に備える、請求項１８に記載の方法。
【手続補正書】
【提出日】平成22年4月2日(2010.4.2)
【手続補正１】
【補正対象書類名】特許請求の範囲
【補正対象項目名】全文
【補正方法】変更
【補正の内容】
【特許請求の範囲】
【請求項１】
２つの画像コレクションの間の接続を確立する方法であって、
a）第１のユーザーからの第１の画像コレクションを用意するステップと；
b）異なる第２のユーザーからの第２の画像コレクションを用意するステップと；
c）第１の画像コレクションと第２の画像コレクションを分析してその第１の画像コレクションと第２の画像コレクションの間の類似度スコアを生成させるステップと；
d）その類似度スコアに基づき、第１のユーザーと第２のユーザーの間で画像またはコレクション・データを共有するためのリンクを確立するステップを含む方法。
【請求項２】
ステップc）に、
i）第１の画像コレクションと第２の画像コレクションから唯一の物体を検出するステップと；
ii）第１の画像コレクションからの唯一の物体が第２の画像コレクションにも現われる確率を決定するステップと；
iii）その決定された確率に基づいて上記類似度スコアを生成させるステップが含まれる、請求項１に記載の方法。
【請求項３】
ステップc）ii）に、個別物体に付随する特徴を生成させ、第１の画像コレクションからの唯一の物体が第２の画像コレクションにも現われる確率をその生成された特徴に基づいて決定する操作が含まれる、請求項２に記載の方法。
【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
データをアーカイブする／格納する際に使用する方法であって、
第１のデータセットに関連する第１のシグネチャを生成することであって、
前記第１のデータセットのメタデータに関連する識別子ハッシュを生成すること、および
前記第１のデータセットのコンテンツに関連するコンテンツハッシュを生成すること
を含む、前記第１のデータセットに関連する第１のシグネチャを生成すること、
前記第１のシグネチャを格納すること、
前記第１のシグネチャのハッシュのうちの少なくとも１つを、前記第１のデータセットに関連する後続のデータセットの対応するハッシュと比較すること、
前記比較に基づき、前記第１のデータセットと前記後続のデータセットとの間に変化が存在するかどうかを判定すること、
前記変化が存在する場合に、前記第１のデータセットの内容を含む辞書ベース圧縮エンジンの辞書を格納して、条件付けられた圧縮エンジンを定義すること、
前記第１のデータセットの内容を含み辞書として格納された前記圧縮エンジンを用いて前記後続のデータセットを圧縮すること、
を備え、前記後続のデータセットを表す圧縮ファイルが前記第１のデータセットと前記後続のデータセットとの間の変化を含むように生成されて格納される、方法。
【請求項２】
前記比較することは、前記対応するハッシュの間に違いが存在するかどうかを判定することをさらに含む、請求項１に記載の方法。
【請求項３】
前記対応するハッシュの間に違いが存在する場合、
前記第１のデータセットの前記後続のデータセットのコンテンツをハッシュして、後続バージョンコンテンツハッシュを生成すること、
前記後続バージョンコンテンツハッシュを、前記第１のデータセットの前記コンテンツハッシュと比較して、前記第１のデータセットと前記後続のデータセットとの間でコンテンツの変化が存在するかどうかを判定すること、
をさらに備える請求項２に記載の方法。
【請求項４】
前記各コンテンツハッシュの間に違いが存在する場合、前記後続のデータセットの前記コンテンツを格納することをさらに含む請求項３に記載の方法。
【請求項５】
前記第１のシグネチャは第１のネットワークロケーションに格納され、前記後続のデータセットは第２のネットワークロケーションに位置づけられ、当該方法はさらに、
前記第１のネットワークロケーションから前記第２のネットワークロケーションに前記第１のシグネチャを転送すること、
前記第１のシグネチャの少なくとも１つのハッシュを、前記第２のネットワークロケーションにおける前記後続のデータセットの対応するハッシュと比較すること、
を備える、請求項１に記載の方法。
【請求項６】
前記ハッシュ間の違いを前記比較によって識別した場合、前記後続のデータセットの少なくとも一部分を、格納のために前記第１のネットワークロケーションに転送することをさらに備える請求項５に記載の方法。
【請求項７】
前記転送することは、ネットワークインタフェースを介して前記第１のシグネチャを転送することを含む、請求項５に記載の方法。
【請求項８】
前記識別子ハッシュを生成することは、メタデータ構成要素の第１および第２のセットにそれぞれ関連する第１および第２の識別子ハッシュを生成することをさらに含み、前記メタデータ構成要素の前記第１のセットと前記第２のセットとは異なる、請求項１に記載の方法。
【請求項９】
前記後続のデータセットが前記第１のデータセットに関連していると識別することは、前記第１のデータセットの前記第１の識別子ハッシュと前記第２の識別子ハッシュのうちの少なくとも１つを、前記後続のデータセットの対応するハッシュとマッチングさせることを含む、請求項８に記載の方法。
【請求項１０】
前記第１の識別子ハッシュおよび前記第２の識別子ハッシュのうちの一方は前記第１のデータセットのストレージロケーションに関連付けられ、前記第１の識別子ハッシュおよび前記第２の識別子ハッシュのうちの他方は、前記第１のデータセットのバージョンリファレンスに関連付けられる、請求項８に記載の方法。
【請求項１１】
データ格納の際に使用する方法であって、
初期データセットをストレージロケーションに転送すること、
前記初期データセットに関連するシグネチャを生成することであって、
前記初期データセットのメタデータに関連する識別子ハッシュセットを生成すること、および
前記初期データセットのコンテンツに関連するコンテンツハッシュセットを生成すること
を含む、前記初期データセットに関連するシグネチャを生成すること、
前記初期データセットを転送することの後に続いて、前記初期データセットに関連する後続のデータセットのバックアップを実行することであって、
前記後続のデータセットのメタデータに関連する識別子ハッシュセットを生成すること、
前記初期データセットの識別子ハッシュセットと前記後続のデータセットの識別子ハッシュセットとを比較すること、
前記比較に基づいて、前記後続のデータセットに関する合致しない識別子ハッシュを識別すること、および
前記合致しない識別子ハッシュに関連するコンテンツの少なくとも一部分を前記ストレージロケーションに転送すること、
を含む、前記初期データセットに関連する後続のデータセットのバックアップを実行すること、
前記後続のデータセットの内容を転送するとともに、前記初期データセットの対応する内容を含む辞書ベース圧縮エンジンの辞書を格納して、条件付けられた圧縮エンジンを定義すること、
前記初期データセットの内容を含み辞書として格納された前記圧縮エンジンを用いて前記後続のデータセットの内容を圧縮すること、
を備え、前記後続のデータセットを表す圧縮ファイルが前記初期データセットと前記後続のデータセットとの間の変化を含むように生成されて格納される、方法。
【請求項１２】
前記初期データセットの識別子ハッシュと合致する前記後続のデータセットの識別子ハッシュに関連するコンテンツは、前記ストレージロケーションに転送されない、請求項１１に記載の方法。
【請求項１３】
前記後続のデータセットの少なくとも１つの合致しないハッシュに関連するコンテンツに関するコンテンツハッシュを生成すること、
前記初期データセットに関して、合致するコンテンツハッシュが存在するかどうかを判定すること、
をさらに備える請求項１１に記載の方法。
【請求項１４】
前記初期データセットに関して、前記合致するコンテンツハッシュが存在する場合、前記ストレージロケーションへの前記コンテンツの転送を差し控えること、
前記初期データセットに関して、合致するコンテンツハッシュが存在しない場合、前記ストレージロケーションに前記コンテンツを転送すること、
をさらに備える請求項１３に記載の方法。
【請求項１５】
前記初期データセットは、ネットワークを介して起源ロケーションから前記ストレージロケーションに転送される、請求項１１に記載の方法。
【請求項１６】
前記シグネチャは、前記ストレージロケーションに生成される、請求項１５に記載の方法。
【請求項１７】
前記ストレージロケーションから前記後続のデータセットの起源ロケーションに前記シグネチャを転送することをさらに備え、前記ハッシュの比較は、前記起源ロケーションにおいて実行される、請求項１５に記載の方法。
【誤訳訂正書】
【提出日】平成22年3月23日(2010.3.23)
【誤訳訂正１】
【訂正対象書類名】明細書
【訂正対象項目名】０００７
【訂正方法】変更
【訂正の内容】
【０００７】
例えばピクチャグループ内の特定のフレームがドロップされる場合、フレームドロップによって生じたレート低下に関連した歪みの増大が観察される。受信機において、欠落フレームと関連した情報損失は、隠蔽ストラテジーに際し、例えば、欠落フレームが備える何らかの情報を備える事前受信フレームを導入することによる欠落フレームの再構築時に、受信機において少なくとも部分的に補償可能である。従って、受信機において隠蔽ストラテジーを適用した後で得られる再構築歪みは、隠蔽ストラテジーを適用しない場合の歪みとは異なることがある。以下、用語「再構築歪み」は、隠蔽ストラテジーを適用した後、例えば欠落フレームを他のフレームで置換した後に受信機によって観察される結果として残る情報歪みのことである。
【誤訳訂正２】
【訂正対象書類名】明細書
【訂正対象項目名】００４５
【訂正方法】変更
【訂正の内容】
【００４５】
さらにまた、導入手段１０７は、ジョイントレートおよび追加再構築歪み低下について、情報信号のうちのいずれの情報フレームが送信フレームに導入されないのか、かつさらなる情報信号のうちのいずれの情報フレームがさらなる送信フレームに導入されないのかを共に決定するように構成されてもよい。すなわち、追加命令歪み低下の総計と関連したレート低下の総計が考慮される。これは例えば、送信フレームおよびさらなる送信フレームが共通通信リンクを介して、例えば共有媒体を介して送信される場合に好都合である。この場合、共通通信リンクの帯域は使用可能なデータレートの総計を決定する。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
匂い物質受容体が細胞表面に局在しており、細胞系が、1)配列番号:37をコードする配列に対して少なくとも80%の類似性を有する核酸配列に対応する第一の遺伝子、および、2)配列番号:38をコードする配列に対して少なくとも80%の類似性を有する核酸配列に対応する第二の遺伝子を発現する、匂い物質受容体を発現する細胞系。
【請求項２】
請求項1記載の細胞系から作製された細胞膜調整物。
【請求項３】
匂い物質受容体がヒト匂い物質受容体である、請求項1記載の細胞系。
【請求項４】
匂い物質受容体がマウス匂い物質受容体である、請求項1記載の細胞系。
【請求項５】
匂い物質受容体が合成匂い物質受容体である、請求項1記載の細胞系。
【請求項６】
匂い物質受容体が細胞表面に局在しており、細胞系が、1)配列番号:47をコードする配列に対して少なくとも80%の類似性を有する核酸配列に対応する第一の遺伝子、および、2)配列番号:38をコードする配列に対して少なくとも80%の類似性を有する核酸配列に対応する第二の遺伝子を発現する、匂い物質受容体を発現する細胞系。
【請求項７】
請求項6記載の細胞系から作製された細胞膜調整物。
【請求項８】
匂い物質受容体がヒト匂い物質受容体である、請求項6記載の細胞系。
【請求項９】
匂い物質受容体がマウス匂い物質受容体である、請求項6記載の細胞系。
【請求項１０】
匂い物質受容体が合成匂い物質受容体である、請求項6記載の細胞系。
【請求項１１】
a)i)1)配列番号:37をコードする配列に対して少なくとも80%の類似性を有する核酸配列に対応する第一の遺伝子、および、2)配列番号:38をコードする配列に対して少なくとも80%の類似性を有する核酸配列に対応する第二の遺伝子を発現する、匂い物質受容体を含む細胞または細胞膜、および
ii)1つまたは複数の試験化合物
を供給する段階、
b)該試験化合物を該細胞系または該細胞膜へ曝す段階、ならびに
c)該匂い物質受容体の活性を検出する段階を含む、
匂い物質受容体リガンドを同定するための方法。
【請求項１２】
2つ以上の試験化合物が含まれる、請求項11記載の方法。
【請求項１３】
検出段階がレポーティング剤を検出する段階を含む、請求項11記載の方法。
【請求項１４】
匂い物質受容体がヒト匂い物質受容体である、請求項11記載の方法。
【請求項１５】
試験化合物が匂いのある分子である、請求項11記載の方法。
【請求項１６】
匂い物質受容体がマウス匂い物質受容体である、請求項11記載の方法。
【請求項１７】
匂い物質受容体が合成匂い物質受容体である、請求項11記載の方法。
【請求項１８】
匂い物質受容体に特異的な対照化合物の存在下で試験化合物が曝される、請求項11記載の方法。
【請求項１９】
d)前記活性に基づいて匂い物質受容体リガンドの存在または非存在を検出する段階をさらに含む、請求項11記載の方法。
【請求項２０】
a)i)1）配列番号:47をコードする配列に対して少なくとも80%の類似性を有する核酸配列に対応する第一の遺伝子、および、2）配列番号:38をコードする配列に対して少なくとも80%の類似性を有する核酸配列に対応する第二の遺伝子を発現する、匂い物質受容体を含む細胞または細胞膜、および
ii)1つまたは複数の試験化合物
を供給する段階、
b)該試験化合物を該細胞系または該細胞膜へ曝す段階、ならびに
c)該匂い物質受容体の活性を検出する段階を含む、
匂い物質受容体リガンドを同定するための方法。
【請求項２１】
2つ以上の試験化合物が含まれる、請求項20記載の方法。
【請求項２２】
検出段階がレポーティング剤を検出する段階を含む、請求項20記載の方法。
【請求項２３】
匂い物質受容体がヒト匂い物質受容体である、請求項20記載の方法。
【請求項２４】
試験化合物が匂いのある分子である、請求項20記載の方法。
【請求項２５】
匂い物質受容体がマウス匂い物質受容体である、請求項20記載の方法。
【請求項２６】
匂い物質受容体が合成匂い物質受容体である、請求項20記載の方法。
【請求項２７】
匂い物質受容体に特異的な対照化合物の存在下で試験化合物が曝される、請求項20記載の方法。
【請求項２８】
d)前記活性に基づいて匂い物質受容体リガンドの存在または非存在を検出する段階をさらに含む、請求項20記載の方法。
【請求項２９】
配列番号:38および47、ならびに、配列番号:38および47と少なくとも80%同一であるそれらの変種からなる群より選択されるタンパク質をコードする配列を含む単離かつ精製された核酸配列。
【請求項３０】
異種プロモーターへ実施可能に連結されている、請求項29記載の核酸配列。
【請求項３１】
ベクター内に含まれる、請求項29記載の核酸配列。
【請求項３２】
ベクターが宿主細胞において発現される、請求項31記載の核酸配列。
【請求項３３】
配列番号:17および18を含む核酸へ高ストリンジェントな条件下でハイブリダイズする、単離かつ精製された核酸配列。
【請求項３４】
異種プロモーターへ実施可能に連結されている、請求項33記載の核酸配列。
【請求項３５】
ベクター内に含まれる、請求項33記載の核酸配列。
【請求項３６】
ベクターが宿主細胞において発現される、請求項35記載の核酸配列。
【請求項３７】
宿主細胞が生物体に位置し、該生物体が非ヒト動物である、請求項36記載の核酸配列。
【請求項３８】
配列番号:17および18、ならびに、配列番号:17および18と少なくとも80%同一であるそれらの変種からなる群より選択される核酸によりコードされる単離されたポリペプチド。
【請求項３９】
前記核酸が配列番号:17および18と少なくとも90%同一である、請求項38記載の単離されたポリペプチド。
【請求項４０】
前記核酸が配列番号:17および18と少なくとも95%同一である、請求項38記載の単離されたポリペプチド。
【誤訳訂正書】
【提出日】平成22年1月26日(2010.1.26)
【誤訳訂正１】
【訂正対象書類名】特許請求の範囲
【訂正対象項目名】全文
【訂正方法】変更
【訂正の内容】
【特許請求の範囲】
【請求項１】
基板に導電層を上端部を有して形成し、
当該導電層をパターニングして、パターン化された導電層を形成し、
上記パターン化された導電層の少なくとも一部上に犠牲層を第１厚さにて形成し、
上記パターン化された導電層および上記犠牲層の上に、電気絶縁層を厚さの変動範囲を有する第２厚さにて形成し、
上記電気絶縁層をパターニングして、上記犠牲層の表面領域が露出するための上記電気絶縁層の材料の除去を停止し、
上記導電層の上端部における、上記犠牲層の領域の表面にちょうど達したときに上記電気絶縁層の除去を停止し、
上記パターン化された導電層の表面領域を露出するために、上記犠牲層の露出領域を除去し、
上記パターン化された導電層の露出した表面領域を、導電性材料からなるパターンによって覆い、
上記犠牲層の第１厚さは、少なくとも、上記第２厚さの変動範囲の大きさである、層構造の製造方法。
【請求項２】
上記犠牲層を、上記電気絶縁層の材料の除去を停止するときの停止層として用いる、請求項１に記載の、層構造の製造方法。
【請求項３】
上記犠牲層の露出領域を除去する工程において、上記犠牲層を上記電気絶縁層よりも速い速度で除去する、請求項１または２に記載の、層構造の製造方法。
【請求項４】
上記犠牲層の上記露出された領域の除去および上記電気絶縁層の材料の除去を、当該電気絶縁層のエッチング速度よりも速いエッチング速度で当該犠牲層を除去するエッチングプロセスを用いる、請求項１〜３のいずれか１項に記載の、層構造の製造方法。
【請求項５】
上記エッチングプロセスでのエッチング液として、
テトラフルオロメタン、
トリフルオロメタン、
窒素、および、
アルゴンの少なくとも１つを用いる、請求項４に記載の、層構造の製造方法。
【請求項６】
上記犠牲層および上記電気絶縁層の各エッチング速度は、上記エッチング液中の
酸素、
水素、および、
一酸化炭素
の少なくとも１つの濃度を調整することによって調整される、請求項４または５に記載の、層構造の製造方法。
【請求項７】
上記犠牲層の第１厚さは上記電気絶縁層の第２厚さよりも薄い、請求項１〜６のいずれか１項に記載の、層構造の製造方法。
【請求項８】
上記導電層と、導電性材料からなる上記パターンとの間に下地層を形成する、請求項１〜７のいずれか１項に記載の、層構造の製造方法。
【請求項９】
上記パターニングされた導電層の表面領域を露出させた後、上記下地層を形成する、請求項８に記載の、層構造の製造方法。
【請求項１０】
上記下地層を窒化チタンから形成する、請求項８または９に記載の、層構造の製造方法。
【請求項１１】
上記導電層のパターニングおよび／または上記電気絶縁層のパターニングを、リソグラフィプロセスおよびエッチングプロセスを用いて行う、請求項１〜１０のいずれか１項に記載の、層構造の製造方法。
【請求項１２】
上記導電層および／または上記犠牲層を、堆積させる材料を均一に堆積させるコンフォーマル堆積プロセスによって形成する、請求項１〜１１のいずれか１項に記載の、層構造の製造方法。
【請求項１３】
上記層構造を集積回路として形成する、請求項１〜１２のいずれか１項に記載の、層構造の製造方法。
【請求項１４】
上記導電層をパターニングすることによって配線を形成し、
導電性材料からなる上記パターンを形成することによって、ビアを形成する、
請求項１〜１３のいずれか１項に記載の、層構造の製造方法。
【請求項１５】
上記導電層および／または導電性材料からなる上記パターンを、
アルミニウム、および／または、
タングステン
から形成する、請求項１〜１４のいずれか１項に記載の、層構造の製造方法。
【請求項１６】
上記犠牲層を、
窒化珪素、および／または、
酸窒化珪素
から形成する、請求項１〜１５のいずれか１項に記載の、層構造の製造方法。
【請求項１７】
上記電気絶縁層を酸化珪素から形成する、請求項１〜１６のいずれか１項に記載の、層構造の製造方法。
【誤訳訂正２】
【訂正対象書類名】明細書
【訂正対象項目名】００５２
【訂正方法】変更
【訂正の内容】
【００５２】
導電層および／または犠牲層を、コンフォーマル堆積プロセスによって（例えば、ＣＶＤ（化学気相成長）プロセスまたはＡＬＤ（原子層堆積）プロセスによって）形成できる。原子層堆積プロセスによって、厚さを非常に正確にあらかじめ決定できる層を形成することができる。該層は、１つの原子層の精度まで（つまり、数オングストロームの精度まで）非常に均一な厚さで表面に堆積される。正確にあらかじめ決定できる、均一な厚さを有する犠牲層を形成することは、空間的に一定の時間内に該犠牲層を除去できるという利点を有している。
【誤訳訂正３】
【訂正対象書類名】明細書
【訂正対象項目名】００７１
【訂正方法】変更
【訂正の内容】
【００７１】
図３Ａに示した層配列３００を得るために、コンフォーマル堆積プロセスによって、シリコン基板（図示せず）にアルミニウム層３０１を形成する。該アルミニウム層３０１の上に、窒化珪素からなる犠牲層３０２をＣＶＤプロセスによって均一に堆積する。別の方法として、このような犠牲層を、酸窒化珪素材料から形成してもよい。窒化珪素からなる犠牲層３０２の上に、フォトレジスト材料を形成し、リソグラフィプロセスおよびエッチングプロセスによってパターニングすることにより、フォトレジストマスク３０３を形成する。
【誤訳訂正書】
【提出日】平成22年6月25日(2010.6.25)
【誤訳訂正１】
【訂正対象書類名】明細書
【訂正対象項目名】請求項４
【訂正方法】変更
【訂正の内容】
【請求項４】  求めた座標チェーンを、送信機のデータベースの交通道路と比較し、かつ多義性が生じた際には変更し、および／または別の座標対分、延長する、
請求項１から３までのいずれか１項に記載の方法。
【誤訳訂正２】
【訂正対象書類名】明細書
【訂正対象項目名】請求項５
【訂正方法】変更
【訂正の内容】
【請求項５】  少なくとも１つの座標チェーンの複数の部分のうちで受信機のデータベースの相応するものがあることが予想される部分にマークを付ける、
請求項１から４までのいずれか１項に記載の方法。
【誤訳訂正３】
【訂正対象書類名】明細書
【訂正対象項目名】００１３
【訂正方法】変更
【訂正の内容】
【００１３】
この交通道路網の該当する部分の構成に応じて、一義性を得るために受信機において必要な座標チェーンを種々に構成することができる。できる限り最適な特徴、例えばできる限り少ない座標対を得るため、本発明の方法の発展形態において提案されるのは、求めた座標チェーンを、送信機のデータベースの交通道路と比較しかつ多義性が生じた際には変更し、および／または別の座標対分、延長することである。
【誤訳訂正４】
【訂正対象書類名】明細書
【訂正対象項目名】００１４
【訂正方法】変更
【訂正の内容】
【００１４】
いずれにせよ受信機側のデータベースに設けられていない座標チェーンの部分を不要に検索することを回避するため、別の発展形態では、少なくとも１つの座標チェーンの複数の部分、すなわちこれらの部分のうちで受信機のデータベースの相応するものがあると予想される部分にマークを付ける。
【誤訳訂正書】
【提出日】平成22年8月5日(2010.8.5)
【誤訳訂正１】
【訂正対象書類名】明細書
【訂正対象項目名】特許請求の範囲
【訂正方法】変更
【訂正の内容】
【特許請求の範囲】
【請求項１】  以下の工程を含む、可溶性グアニル酸シクラーゼのヘム鉄が三価の酸化状態にある可溶性グアニル酸シクラーゼを検出する方法：
ａ）可溶性グアニル酸シクラーゼを提供し；
ｂ）少なくとも１つの化合物を提供し、ここで、化合物は２−（４−クロロフェニルスルホニルアミノ）−４,５−ジメトキシ−Ｎ−（４−（チオモルフォリン−４−スルホニル）フェニル）ベンゾアミドであり；
ｃ）工程ａ）により提供された可溶性グアニル酸シクラーゼを工程ｂ）により提供された化合物とインキュベートし；
ｄ）工程ｃ）でインキュベートした後に前記可溶性グアニル酸シクラーゼの活性を決定する。
【請求項２】  以下の工程を含む、可溶性グアニル酸シクラーゼのヘム鉄が三価の酸化状態にある可溶性グアニル酸シクラーゼを検出する方法：
ａ）可溶性グアニル酸シクラーゼを提供し；
ｂ）可溶性グアニル酸シクラーゼのヘム鉄が三価の酸化状態にあるときに前記可溶性グアニル酸シクラーゼの活性を刺激する少なくとも１つの化合物を提供し；
ｃ）工程ａ）により提供された可溶性グアニル酸シクラーゼを工程ｂ）により提供された化合物とインキュベートし；
ｄ）工程ｃ）でインキュベートした後に前記可溶性グアニル酸シクラーゼの活性を決定し；
ｅ）リファレンスの生物学的サンプルにおける工程ａ）の可溶性グアニル酸シクラーゼの活性を、リファレンスサンプル中の可溶性グアニル酸シクラーゼを酸化剤で予備処理した後に、工程ｂ）の化合物の存在下で決定する、
ここで、工程ｅ）の決定は、ヘム鉄が三価の酸化状態にある可溶性グアニル酸シクラーゼの割合を決定するためのリファレンス値として利用される。
【請求項３】  以下の工程を含む、生物学的材料のサンプル中の可溶性グアニル酸シクラーゼのヘム鉄の酸化状態を決定するインビトロ方法：
ａ）可溶性グアニル酸シクラーゼを含む生物学的サンプルを提供し；
ｂ）可溶性グアニル酸シクラーゼのヘム鉄が三価の酸化状態にあるときに前記可溶性グアニル酸シクラーゼの活性を刺激する少なくとも１つの化合物を提供し；
ｃ）工程ａ）により提供された可溶性グアニル酸シクラーゼを工程ｂ）により提供され
た化合物とインキュベートし；
ｄ）工程ｃ）でインキュベートした後に前記可溶性グアニル酸シクラーゼの活性を決定し；
ｅ）リファレンスの生物学的サンプルにおける工程ａ）の可溶性グアニル酸シクラーゼの活性を、リファレンスサンプル中の可溶性グアニル酸シクラーゼを酸化剤で予備処理した後に、工程ｂ）の化合物の存在下で決定する、
ここで、工程ｅ）の決定は、サンプル中の可溶性グアニル酸シクラーゼにおけるヘム鉄の酸化状態を決定するためのリファレンス値として利用される。
【請求項４】  哺乳類由来の可溶性グアニル酸シクラーゼが提供される請求項１〜３のいずれかに記載の方法。
【請求項５】  ウシ由来の可溶性グアニル酸シクラーゼが提供される請求項４に記載の方法。
【請求項６】  ヒトの可溶性グアニル酸シクラーゼが提供される請求項４に記載の方法。
【請求項７】  可溶性グアニル酸シクラーゼがαサブユニットおよびβサブユニットを含み、前記αサブユニットがα1またはα2サブユニットであり、さらにβサブユニットがβ1またはβ2サブユニットである請求項１〜６のいずれかに記載の方法。
【請求項８】  可溶性グアニル酸シクラーゼが生物学的材料から単離されて提供される請求項１〜７のいずれかに記載の方法。
【請求項９】  可溶性グアニル酸シクラーゼが酸化剤で処理される請求項１に記載の方法。
【請求項１０】  可溶性グアニル酸シクラーゼが１Ｈ−（１,２,４）オキサジアゾロ（４,３−ａ）キノキサリン−１−オンで処理される請求項２〜９のいずれかに記載の方法。
【請求項１１】  可溶性グアニル酸シクラーゼがオキサジアゾロ（３,４−ｄ）ベンゾ（ｂ）（１,４）オキサジン−１−オンで処理される請求項２〜９のいずれかに記載の方法。
【請求項１２】  可溶性グアニル酸シクラーゼがフェリシアン化カリウムで処理される請求項２〜９のいずれかに記載の方法。
【請求項１３】  可溶性グアニル酸シクラーゼの活性が機能的アッセイまたは結合アッセイによって決定される請求項１〜１２のいずれかに記載の方法。
【請求項１４】  以下の工程を含む可溶性グアニル酸シクラーゼの発光検出方法：
ａ）可溶性グアニル酸シクラーゼおよび基質としてＧＴＰを提供し、さらに前記ＧＴＰをｃＧＭＰおよびピロホスフェートに変換し；
ｂ）ニコチンアミドモノヌクレオチドアデニルトランスフェラーゼおよびニコチンアミドアデニンジヌクレオチド（ＮＡＤ+）を提供し、さらに工程ａ）のピロホスフェートを用いてＡＴＰに変換し；
ｃ）ルシフェラーゼおよびルシフェリンを提供し、工程ｂ）で生成されたＡＴＰの量をルシフェリンおよびルシフェラーゼとの反応によって発光測定により決定する。
【請求項１５】  ＧＴＰ、ＮＡＤ+、ニコチンアミドモノヌクレオチドアデニルトランスフェラーゼ、ルシフェリンおよびルシフェラーゼを反応容器に導入し、反応を可溶性グアニル酸シクラーゼを添加することによって開始し、生成されたＡＴＰの量を測定し、そこから前記可溶性グアニル酸シクラーゼの活性を決定する、可溶性グアニル酸シクラーゼの発光検出方法。
【請求項１６】  可溶性グアニル酸シクラーゼの活性を決定することを目的として可溶性グアニル酸シクラーゼを検出するための、請求項１４または１５に記載の方法。
【請求項１７】  可溶性グアニル酸シクラーゼの活性が、請求項１４または１５に記載の方法を用いて決定される、請求項１〜１２のいずれかに記載の方法。
【請求項１８】  以下の工程を含む、ヘム分子団をもたない可溶性グアニル酸シクラーゼを検出する方法：
ａ）ヘム分子団をもたない可溶性グアニル酸シクラーゼを提供し；
ｂ）少なくとも１つの化合物を提供し、ここで、化合物は２−（４−クロロフェニルスルホニルアミノ）−４,５−ジメトキシ−Ｎ−（４−（チオモルフォリン−４−スルホニル）フェニル）ベンゾアミドであり；
ｃ）工程ａ）により提供された可溶性グアニル酸シクラーゼを工程ｂ）により提供された化合物とインキュベートし；
ｄ）工程ｃ）でインキュベートした後に可溶性グアニル酸シクラーゼの活性を決定する。
【誤訳訂正２】
【訂正対象書類名】明細書
【訂正対象項目名】００１７
【訂正方法】変更
【訂正の内容】
【００１７】
三価のヘム鉄をもつ可溶性グアニル酸シクラーゼの活性を刺激するために提供される化合物は単一化合物でも、または化合物の混合物でもよい。化合物は、例えば合成されたものでも、天然の物質から単離されたものでもよい。原則として、可溶性グアニル酸シクラーゼのヘム鉄が三価の酸化状態のときに可溶性グアニル酸シクラーゼの活性を刺激する全ての化合物を用いることができる。
三価の酸化状態にあるヘム鉄をもつ可溶性グアニル酸シクラーゼを検出する方法を実施するために、例えば化合物２−（４−クロロフェニルスルホニルアミノ）−４,５−ジメトキシ−Ｎ−（４−（チオモルフォリン−４−スルホニル）フェニル）ベンゾアミドを使用することができる。
【手続補正書】
【提出日】平成22年8月11日(2010.8.11)
【手続補正１】
【補正対象書類名】明細書
【補正対象項目名】特許請求の範囲
【補正方法】変更
【補正の内容】
【特許請求の範囲】
【請求項１】
ポリペプチドを表示するインビボで増殖し得ないウイルス粒子であるウイルス性表示媒体を有効成分として含み、さらに薬学的に許容される担体を含んでなる医薬組成物であって、該ポリペプチドは、ベータ−アミロイド（Ａβ）の少なくとも１つのエピトープを含み、該少なくとも１つのエピトープは、対象に投与された場合に該エピトープに対するＡβ結合性抗体を誘発し、該抗体が、該ベータ−アミロイドの凝集を阻害する、医薬組成物。
【請求項２】
該インビボで増殖し得ないウイルス粒子が、インビボで増殖し得ない２本鎖ＤＮＡウイルス粒子、インビボで増殖し得ない１本鎖ＤＮＡウイルス粒子、インビボで増殖し得ないポジティブ鎖ＲＮＡウイルス粒子、およびインビボで増殖し得ないネガティブ鎖ＲＮＡウイルス粒子よりなる群から選ばれる、請求項１の医薬組成物。
【請求項３】
該インビボで増殖し得ないウイルス粒子が、インビボで増殖し得ないバクテリアファージ粒子である請求項１または２の医薬組成物。
【請求項４】
該インビボで増殖し得ないウイルス粒子を選択し、その１０１０単位の３倍量のレシピエントへの導入の後３０日未満の間に、少なくとも１：５０,０００の抗体力価がＥＬＩＳＡにより測定されるようにする、請求項１から３いずれかの医薬組成物。
【請求項５】
該エピトープが、ＥＦＲＨ（配列番号１）、ＤＡＥＦＲＨ（配列番号３の残基１−６）、ＤＡＥＦＲＨＤ（配列番号３の残基１−７）またはＤＡＥＦＲＨＤＳＧ（配列番号３の残基１−９）である請求項１から４いずれかの医薬組成物。
【請求項６】
該エピトープが、ＥＦＲＨ（配列番号１）を含む請求項１から５いずれかの医薬組成物。
【請求項７】
アルツハイマー病の処置のための請求項１から６いずれかの医薬組成物。
【請求項８】
該インビボで増殖し得ないウイルス粒子が、インビボで増殖し得ない２本鎖ＤＮＡウイルス粒子、インビボで増殖し得ない１本鎖ＤＮＡウイルス粒子、インビボで増殖し得ないポジティブ鎖ＲＮＡウイルス粒子、およびインビボで増殖し得ないネガティブ鎖ＲＮＡウイルス粒子よりなる群から選ばれる、請求項７の医薬組成物。
【請求項９】
該インビボで増殖し得ないウイルス粒子が、インビボで増殖し得ないバクテリアファージ粒子である請求項７の医薬組成物。
【請求項１０】
該アルツハイマー病が、早期発症アルツハイマー病である請求項７−９のいずれかの医薬組成物。
【請求項１１】
該アルツハイマー病が、後期発症アルツハイマー病である請求項７−９のいずれかの医薬組成物。
【請求項１２】
該アルツハイマー病が、症候的アルツハイマー病である請求項７−９のいずれかの医薬組成物。
【請求項１３】
レシピエントの嗅覚系に適用されるように製剤されており、レシピエントの体内に導入して、ベータ−アミロイドの凝集を阻害するための請求項７−１２のいずれかの医薬組成物。
【請求項１４】
該エピトープが、ＥＦＲＨ（配列番号１）、ＤＡＥＦＲＨ（配列番号３の残基１−６）、ＤＡＥＦＲＨＤ（配列番号３の残基１−７）またはＤＡＥＦＲＨＤＳＧ（配列番号３の残基１−９）である請求項７−１３いずれかの医薬組成物。
【請求項１５】
該エピトープが、ＥＦＲＨ（配列番号１）を含む請求項７から１４いずれかの医薬組成物。
【請求項１６】
ポリペプチドを表示するインビボで増殖し得ないウイルス粒子であるウイルス性表示媒体を含む、薬剤であって、該ポリペプチドは、ベータ−アミロイド（Ａβ）の少なくとも１つのエピトープを含み、該少なくとも１つのエピトープは、対象に投与された場合に該エピトープに対するＡβ結合性抗体を誘発し、該抗体が、該ベータ−アミロイドの凝集を阻害する、薬剤。
【請求項１７】
該インビボで増殖し得ないウイルス粒子が、インビボで増殖し得ない２本鎖ＤＮＡウイルス粒子、インビボで増殖し得ない１本鎖ＤＮＡウイルス粒子、インビボで増殖し得ないポジティブ鎖ＲＮＡウイルス粒子、およびインビボで増殖し得ないネガティブ鎖ＲＮＡウイルス粒子よりなる群から選ばれる、請求項１６の薬剤。
【請求項１８】
該インビボで増殖し得ないウイルス粒子が、インビボで増殖し得ないバクテリアファージ粒子である請求項１６または１７の薬剤。
【請求項１９】
該インビボで増殖し得ないウイルス粒子を選択し、その１０１０単位の３倍量のレシピエントへの導入の後３０日未満の間に、少なくとも１：５０,０００の抗体力価がＥＬＩＳＡにより測定されるようにする、請求項１６−１８いずれかの薬剤。
【請求項２０】
該エピトープが、ＥＦＲＨ（配列番号１）、ＤＡＥＦＲＨ（配列番号３の残基１−６）、ＤＡＥＦＲＨＤ（配列番号３の残基１−７）またはＤＡＥＦＲＨＤＳＧ（配列番号３の残基１−９）である請求項１６−１９いずれかの薬剤。
【請求項２１】
該エピトープが、ＥＦＲＨ（配列番号１）を含む請求項１６−２０いずれかの薬剤。
【請求項２２】
アルツハイマー病の処置のための請求項１６−２１のいずれかの薬剤を含む医薬組成物。
【請求項２３】
該インビボで増殖し得ないウイルス粒子が、インビボで増殖し得ない２本鎖ＤＮＡウイルス粒子、インビボで増殖し得ない１本鎖ＤＮＡウイルス粒子、インビボで増殖し得ないポジティブ鎖ＲＮＡウイルス粒子、およびインビボで増殖し得ないネガティブ鎖ＲＮＡウイルス粒子よりなる群から選ばれる、請求項２２の医薬組成物。
【請求項２４】
該インビボで増殖し得ないウイルス粒子が、インビボで増殖し得ないバクテリアファージ粒子である請求項２２の医薬組成物。
【請求項２５】
該アルツハイマー病が、早期発症アルツハイマー病である請求項２２−２４のいずれかの医薬組成物。
【請求項２６】
該アルツハイマー病が、後期発症アルツハイマー病である請求項２２−２４のいずれかの医薬組成物。
【請求項２７】
該アルツハイマー病が、症候的アルツハイマー病である請求項２２−２４のいずれかの医薬組成物。
【請求項２８】
レシピエントの嗅覚系に適用されるように製剤されており、レシピエントの体内に導入して、ベータ−アミロイドの凝集を阻害するための請求項２２−２７のいずれかの医薬組成物。
【請求項２９】
該エピトープが、ＥＦＲＨ（配列番号１）、ＤＡＥＦＲＨ（配列番号３の残基１−６）、ＤＡＥＦＲＨＤ（配列番号３の残基１−７）またはＤＡＥＦＲＨＤＳＧ（配列番号３の残基１−９）である請求項２２−２８いずれかの医薬組成物。
【請求項３０】
該エピトープが、ＥＦＲＨ（配列番号１）を含む請求項２２−２９いずれかの医薬組成物。